(57)【要約】      （修正有）【課題】サッシは防火サッシの条件を満たすためにガラスには網入りガラスを使用し、枠体には溶融温度の高い鉄などの金属の枠のを使用するのが一般であり、商品設計上に大きな制約があった。透明のガラスを使用した大きなサイズのサッシを、さまざまな色やデザインが可能な木材の枠を使用して実現する。【解決手段】木材のサッシ枠体と窓框体に、２枚のフロートガラス（３１，３２，４１）の間に無機質系フィルム（３３）を挟んで接着した合わせガラスの外側ガラスと、厚ガラスの内側ガラスとを一定の間隔をあけて組み合わせた二重ガラスを装着し、外側ガラスと、内側ガラスの２枚のガラスとの隙間にアルゴンガスを充填することにより、木材を使用した防火サッシを実現してさまざまな色やデザインを可能にする。【選択図】図６
2006169818.tif 000002
【特許請求の範囲】
【請求項１】
サッシ枠体と窓框体とに木材を使用し、
木材のサッシ枠体と窓框体の室外側にアルミ材の防水カバーを設け、  
窓サッシのガラスに、２枚のフロートガラスの間に無機質系フィルムを挟んで接着した合わせガラスの外側ガラスと、厚ガラスの内側ガラスとを一定の間隔をあけて組み合わせた二重ガラスを装着し、
外側ガラスと、内側ガラスの2枚のガラスとの隙間にアルゴンガスを充填したことを特徴とする木材を使用した防火サッシ。
【請求項２】
窓を閉めた状態においては、窓框体の窓ガラスが、サッシ枠体に固定された窓ガラスと同一面上になるように、窓框体がサッシ枠体の縦枠の間に嵌まり込んだ状態で固定される片引き窓サッシにおいて、
木材のサッシ枠体と窓框体の室外側にアルミ材の防水カバーを設け、  
窓サッシのガラスに、２枚のフロートガラスの間に無機質系フィルムを挟んで接着した合わせガラスの外側ガラスと、厚ガラスの内側ガラスとを一定の間隔をあけて組み合わせた二重ガラスを装着し、
外側ガラスと、内側ガラスの2枚のガラスとの隙間にアルゴンガスを充填したことを特徴とする木材の枠を使用した乙種防火防火サッシ。
【請求項３】
請求項１乃至２において、２枚のフロートガラスの厚さが少なくとも各３ｍｍ、
無機質系フィルムの厚さが少なくとも１ｍｍ、
内側ガラスの厚さが少なくとも５ｍｍ
外側ガラスと内側ガラスの間隙が少なくとも１２ｍｍ
であることを特徴とする防火サッシ。
【発明の詳細な説明】
【技術分野】
【０００１】
本発明は、木材の窓枠と窓框体を使用した防火サッシに関するものである。
本発明の木材を使用した防火サッシは、室外側をアルミ材にて覆った木枠と窓框体に、アルゴンガスを充填した二重合わせガラスを装着して防火構造を実現するとともに、耐久性とデザイン性の向上を図ったものである。
【背景技術】
【０００２】
従来、建物の窓開口部に設けられるサッシにおいては、アルミなどの金属の枠体のものや金属の框体の室内側露出部分を木材や樹脂部材により覆った複合サッシが広く用いられている。
このようなサッシを防火構造にする場合には、通常のサッシに広く使用されているアルミや木材の枠は、所定の時間高温に耐えられないため使用することが出来ず、鉄やステンレス等の高温に耐えられる金属の枠しか使用できなかった。
鉄やステンレス等は、金属の冷たい印象をあたえるため、金属の枠体の室内側露出部分を木材や樹脂部材により覆って室内側からサッシを見る際に受ける金属の冷たい印象をなくすようにして高級感を与えるようにしたものもあるが、さまざまな色やデザインのものを用いることができず、サッシとその周りとの意匠の統一を図ることが困難で、意匠性を向上させることが出来なかった。
又、従来の防火構造のサッシに使用される窓ガラスも、高温に所定の時間耐えられるために、一定のサイズを超えるガラスには網線入りのガラスを使用する必要があり、開放感のあるサッシを実現することが困難であった。
木材はさまざまな色やデザインのものを用いることができるので、サッシとその周りとの意匠の統一を図ることができ、意匠性を向上させることができるが、木枠を使用したサッシは耐久性や防火の問題があるため広く普及する状態にはない。
【０００３】
【特許文献１】特開平１０−２９２５３０号公報
【特許文献２】特開２００４−１６９４５３号公報，
【特許文献３】特開２００４−１６９４５４号公報，
【発明の開示】
【発明が解決しようとする課題】
【０００４】
従来のサッシを防火サッシにしようとすると建築基準法及びＪＩＳの規格に規定されている乙種防火防火サッシの認定基準の、「屋内外両側に対してそれぞれ片側から７５０℃以上で加熱し、反対側で２０分間発火しないこと」の条件をクリアすることが必要である。
このため、通常のアルミサッシではガラスが割れたり、アルミの枠体が溶解し、又、木枠のサッシではガラスが割れたり、枠体が燃えるために十分な防火特性を得ることが出なかった。
従来のサッシではこの防火サッシの条件を満たすためにガラスには網入りガラスを使用し、枠体には溶融温度の高い鉄やステンレスなどの金属の枠のを使用するのが一般であり、アルミクラッドの窓サッシでは０.８ｍ２までの小型のものしかしか認定はされおらず、商品設計上に大きな制約があった。
このため透明のガラスを使用した大きなサイズのサッシを、金属の冷たい印象を排し、さまざまな色やデザインが可能な木材の枠を使用した防火サッシの実現が求められている。
【課題を解決するための手段】
【０００５】
本発明は、サッシ枠体と窓框体とに木材を使用し、木材のサッシ枠体と窓框体の室外側にアルミ材の防水カバーを設け、窓サッシのガラスに、２枚のフロートガラスの間に無機質系フィルムを挟んで接着した合わせガラスの外側ガラスと、厚ガラスの内側ガラスとを一定の間隔をあけて組み合わせた二重ガラスを装着し、外側ガラスと、内側ガラスの２枚のガラスとの隙間にアルゴンガスを充填した木材を使用した防火サッシを実現することにより、透明のガラスを使用した大きなサイズで、金属の冷たい印象を排し、さまざまな色やデザインを可能にたものである。
【発明の効果】
【０００６】
本発明の木材を使用した防火サッシは、従来のサッシのように防火サッシの条件を満すために網入りガラスを使用する必要が無いので、透明のガラスを使用した開放感のある大きな防火サッシを製作することが可能である。又、サッシ枠体と窓框体に木材を使用することが出来るので、金属の冷たい印象を排し、さまざまな色やデザインのものを用いることができるので、サッシとその周りとの意匠の統一を図ることができ、防火サッシの意匠性を向上させることができる。
本発明の木材を使用した防火サッシは、一般木造住宅や共同住宅、ビル等の用途に幅広く使うことが出来る。
【発明を実施するための最良の形態】
【０００７】
本発明の木材の枠を使用した乙種防火サッシについて図面を使用して詳細に説明する。
図１は本発明の木材の枠を使用した片引き窓防火サッシの屋外側の概観図、図２は本発明の木材の枠を使用した片引き窓サッシの屋内側の概観図を示した図である。
図１及び図２において、１０は建物開口部に装着されるサッシの窓枠体である。窓枠体１０は、上枠１１、下枠１２、及び縦枠１３、１４と、中央に設けたその方縦枠１５からなり、枠体1０内の縦枠１３と方縦枠１５の間に固定の窓ガラス３０を装着されている。枠体1０内の縦枠１２と１３の間には、上框２１、下框２２、及び縦框２３、２４を枠組みして窓ガラス４０を装着した窓框体２０が走行自在に組み付けられて片引き戸を構成している。図２の２５は窓框体２０の固定金具である。
【０００８】
本発明の木材の枠を使用した片引き窓防火サッシは、窓を閉めた状態においては、窓框体２０の窓ガラス４０が、枠体1０の固定の窓ガラス３０と同一面上になるように、窓框体２０が枠体1０の縦枠１２と１３の間に嵌まり込んだ状態で固定されている。窓を開ける時には、固定金具２５を引いて窓框体２０を室内側にずらせて引き戸レールに乗せて固定の窓ガラス３０の方向に引くことにより窓が開かれるように動作する。
図３は、図１及び図２のＡ−Ａ面の縦断面図である。図４は、図１及び図２のＢ−Ｂ面の縦断面図である。図５は、図１及び図２のＣ−Ｃ面の横断面図である。
図３乃至図５において、図１及び図２と同一の部分には、同一の符号をつけてその説明を省略する。
図３乃至し図５において、枠体１０を構成する各枠材は、木材の枠材であり、木材の枠体と框の室外側露出部分を覆う防水カバーとから構成されている。
木材の枠体１０は、木材の上枠１１、木材の下枠１２、及び木材の縦枠１３、１４と、中央に設けたその方縦枠１５が方形に配置されている。
【０００９】
上枠防水カバー５１は木材の上枠１１に、下枠防水カバー５２は木材の下枠１２
に、縦枠防水カバー５３，５４は木材の縦枠１３、１４に、方縦枠防水カバー５５は方縦枠１５にそれぞれ取付けられている。木材の上枠１１と木材の下枠１２と木材の縦枠１３、１４及び方縦枠１５には、それぞれ係止片が設けられ、上枠防水カバー５１と下枠防水カバー５２と縦枠防水カバー５３、５４及び方縦枠防水カバー５５はそれらに係合された上で、ネジによって固定されている。
枠体1０内の縦枠１３と方縦枠１５の間に固定の窓ガラス３０が装着されている。
窓ガラス３０は、耐火性を有する気密シール材とガラス固定スペーサ及び押縁を介して各枠体１１，１２，１３，１５に保持されている。押縁は、各枠体に固定されて窓ガラス３０保持して、窓ガラス３０の落下を防止する。
図３及び図４に示すように、枠体1０の上枠１１と下枠１２の室内側には引き戸レール７１，７２が取りつけられ、窓框体２０に設けられた戸車がその上に載置されて、窓框体２０は横方向に走行自在とされることで、片引き戸を構成している。
窓框体２０は、上框２１、下框２２、及び縦框２３、２４の框材を方形状に枠組みされている。
【００１０】
各框２１，２２，２３，２４は、上記枠体１０と同様に、木材の框体２１，２２，２３，２４の室外側露出部分を覆うように取付けられた框体防水カバー６１，６２，６３，６４とから構成されている。すなわち、上框防水カバー６１は木材の上框２１に、下框防水カバー６２は木材の下框２２に、縦框防水カバー６３、６４は木材の縦框２３、２４に、それぞれ取り付けられている。
上框２１、下框２２、及び縦框２３、２４には、それぞれ係止片が設けられ、上框防水カバー６１、下框防水カバー６２及び縦框防水カバー６３、６４はそれらに係合された上で、それらに係合された上で、ネジによって固定されている。
窓框体２０には窓ガラス４０が装着されている。
窓ガラス４０は耐火性を有す気密シール材とガラス固定スペーサ及び押縁を介して各框体２１，２２，２３，２４に保持されている。押縁は、各框体に固定されて窓ガラス４０保持して、窓ガラス４０の落下を防止する。
【００１１】
図６は、本発明の木材の枠を使用した片引き窓防火サッシの窓ガラス３０，４０の構造について説明するためのガラスの断面図を示したものである。
図６において、３１，３２，４１は、それぞれフロート板ガラスである。板ガラス４１は板ガラス３１，３２よりも厚い厚板ガラスが使用される。３３は板ガラス３１，３２の間に挟まれ、板ガラス３１，３２に接着されている透明の無機質系複合材である。板ガラス３１，３２と無機質系複合材３３とにより合わせガラスを構成している。
４２，４３は、板ガラス３１，３２と無機質系複合材３３の合わせガラスと厚板ガラス４１との間に一定の間隔を設けるための耐火性を有するスペーサである。
本発明の木材の枠を使用した片引き窓防火サッシの窓ガラス３０，４０は、板ガラス３１，３２と無機質系複合材３３の合わせガラスと厚板ガラス４１の間に一定の間隔を設けるためのスペーサ４２，４３を介在させ、この合わせガラスと厚板ガラス４１との間の空間にアルゴンガスを封入して防火機能を持った複層ガラスを構成したものである。
【００１２】
本発明の木材の枠を使用した片引き窓防火サッシは、７５０℃以上の高温で一定の時間高温にさらされた場合には、アルミの防水カバーは溶け、木材の枠と框の外部表面は一旦は燃えて表面が炭化するが、２０分の間には木材の枠と框の内部まで燃えること無く、窓ガラス３０，４０を確実に保持し続けることが実験により確認されている。
又、図６に示すような構成の複層ガラスは、その合わせガラスの側（窓の外側）に火災が発生し、合わせガラスの面が７５０℃の高温で一定の時間高温にさらされた場合には、板ガラス３１，３２はこの高温によりひび割れが発生するが、板ガラス３１，３２に接着されている透明の無機質系複合材３３は高温によって軟化し溶解して白色に変色するが、少なくとも２０分の間は板ガラス３１，３２の接着を確実に保持する能力を持っている。このため、合わせガラスの面が７５０℃の高温に２０分間さらされた場合にも、ひび割れが発生した板ガラス３１，３２は２０分間は脱落することがない。
【００１３】
合わせガラスと厚板ガラス４１との間の空間に封入されているアルゴンガスの断熱効果により、厚板ガラス４１には合わせガラスの面の高温は遮断されるため、２０分の間は厚板ガラス４１にはひび割れも発生せず厚板ガラス４１の側で２０分間発火しないことが実験により確認されている。
又、厚板ガラス４１の側（室内）に火災が発生し、厚板ガラス４１の面が７５０℃以上の高温で一定の時間高温にさらされた場合には、厚板ガラス４１はこの高温によりひび割れが発生し一定脱落時間後には脱落する。
厚板ガラス４１が脱落するまでの間は合わせガラスと厚板ガラス４１との間の空間に封入されているアルゴンガスの断熱効果により、合わせガラスには厚板ガラス４１の面の高温は遮断されているが、厚板ガラス４１が脱落すると、合わせガラスの面が７５０℃以上の高温にさらされ、板ガラス３１，３２はこの高温によりひび割れが発生し、板ガラス３１，３２に接着されている透明の無機質系複合材は高温によって軟化し溶解して白色に変色するが、少なくとも２０分の間は板ガラス３１，３２の接着を確実に保持する能力を持っている。このため、厚板ガラス４１の面が７５０℃以上の高温に２０分間さらされた場合にも、合わせガラスの側で２０分間発火しないことが実験により確認されている。
これまで、本発明の木材の枠を使用した防火サッシの実施形態について説明したが、本発明の適用はこの実施形態に限られるものではなく、その技術的思想の範囲内において様々に適用することが可能である。
【００１４】
本発明の木材を使用した防火サッシを、木材を唐松集成材で製作し、木材の枠と框の室外側にアルミ材の防水カバー取り付け、内側は木製そのままで、外側ガラスは厚さ３ｍｍのフロートガラスを２枚合わせにし、その間に1ｍｍの無機質系フィルムを挟み、これと内側の５ｍｍ厚ガラスと組み合わせ、２枚のガラスとの隙間１２ｍｍにアルゴンガスを充填した、幅１８００ｍｍ，高さ２１００ｍｍの大きさの片引き窓防火サッシが、国土交通省より、平成１６年８月３０日付けで、国住指第１０９３号として、建築基準法第６８条の２６第１項の規定に基づき、同法第６４条及び同法施行令第１３６条の２の３（２０分間の準遮炎性能を有する防火設備）の規定に適合するものであることが認められ、認定番号  ＥＣ-００１７として認定された。
本発明の木材を使用した防火サッシは、従来のサッシのように防火サッシの条件を満すために網入りガラスを使用する必要が無いので、透明のガラスを使用した開放感のある大きな防火サッシを製作することが可能である。又、サッシ枠体と窓框体に木材を使用することが出来るので、金属の冷たい印象を排し、さまざまな色やデザインのものを用いることができるので、サッシとその周りとの意匠の統一を図ることができ、防火サッシの意匠性を向上させることができる。
本発明の木材を使用した防火サッシは、一般木造住宅や共同住宅、ビル等の用途に幅広く使うことが出来る。
【産業上の利用可能性】
【００１５】
本発明は建築産業やサッシの製造産業で利用可能である。
【図面の簡単な説明】
【００１６】
【図１】本発明の木材の枠を使用した片引き窓防火サッシの屋外側の概観図である。
【図２】本発明の木材の枠を使用した片引き窓サッシの屋内側の概観図を示した図である。
【図３】図１及び図２のＡ−Ａ面の縦断面図である。
【図４】図１及び図２のＢ−Ｂ面の縦断面図である。
【図５】図１及び図２のＣ−Ｃ面の横断面図である。
【図６】本発明の木材の枠を使用した片引き窓防火サッシの窓ガラスの構造について説明するためのガラスの断面図を示したものである。
【符号の説明】
【００１７】
１０・・・建物開口部に装着されるサッシの窓枠体
１１・・・上枠
１２・・・下枠
１３，１４・・・縦枠
１５・・・中央に設けたその方縦枠
２１・・・上框
２２・・・下框
２３，２４・・・縦框
２５・・・窓框体２０の固定金具
３０・・・固定の窓ガラス
３１，３２，４１・・・フロート板ガラス
３３・・・板ガラス３１，３２に接着されている透明の無機質系複合材
４０・・・窓ガラス
４２，４３・・・ガラスの間に一定の間隔を設けるための耐火性を有するスペーサ
５１・・・上枠防水カバー
５２・・・下枠防水カバー
５３，５４・・・縦枠防水カバー
５５・・・方縦枠防水カバー
６１，６２，６３，６４・・・框体防水カバー
７１，７２・・・片引き戸レール
【図１】
2006169818.tif 000003
【図２】
2006169818.tif 000004
【図３】
2006169818.tif 000005
【図４】
2006169818.tif 000006
【図５】
2006169818.tif 000007
【図６】
2006169818.tif 000008